(57)【要約】【課題】読取ユニットが原稿の厚さ方向に移動可能な構成において、読取ユニットが円滑に移動可能な配線構造を実現する。【解決手段】読取ユニット（２６Ｕ）は、シート搬送路（２２）を通過するシート（Ｄ１）から透過部（２８）を通して画像を読み取るセンサ部（２６）を有する。読取ユニット（２６Ｕ）は、フレーム体（１１０）によって移動可能に支持され、付勢手段（３２）により、透過部（２８）に対向する対向部材（３９）へ向けて付勢される。読取ユニット（２６Ｕ）に接続される平板状の信号線（３０）は、付勢手段（３２）の付勢方向に交差する方向に向かって延びる第１領域（３０１）と、第１領域（３０１）に対して折り曲げられた第２領域（３０２）とを含む。第２領域（３０２）を保持手段（３１）の保持部（３１１）によって保持することにより、信号線（３０）から読取ユニット（２６Ｕ）に作用する力を抑制する。【選択図】図３
2018129608.tif 000002
【特許請求の範囲】
【請求項１】
フレーム体と、
前記フレーム体に支持される対向部材と、
前記対向部材との間にシート搬送路を形成する透過部と、前記シート搬送路を通過するシートから前記透過部を通して画像を読み取るセンサ部とを有し、前記フレーム体により、前記対向部材に対して接近及び離間可能に支持された読取ユニットと、
前記読取ユニットを前記対向部材へ向けて付勢する付勢手段と、
前記読取ユニットに接続される第１領域と、前記第１領域に隣接する第２領域とを含み、前記センサ部が発した電気信号を伝達可能な平板状の信号線と、
前記フレーム体に支持され、前記信号線を保持可能な保持手段と、を備え、
前記信号線は、前記第１領域における幅方向が前記付勢手段の付勢方向に交差する第１の方向に沿った姿勢で前記読取ユニットに接続され、
前記保持手段は、前記第１の方向から視て、前記信号線の前記第１領域が前記読取ユニットから前記付勢方向に交差する第２の方向へ向かって延び、かつ、前記第２領域が前記第１領域に対して折り曲げられた状態で前記第２領域を保持する保持部を有する、
ことを特徴とする画像読取装置。
【請求項２】
前記保持部は第１の保持部であり、
前記保持手段は、前記信号線の前記第２領域に隣接する第３領域が前記第２領域に対して折り曲げられ、前記付勢方向から視て前記第１領域に重なった状態で前記第３領域を保持する第２の保持部を有し、
前記第１の保持部は、前記第２領域における前記信号線の厚さ方向に関して前記第２領域の前記付勢手段とは反対側の面を保持し、前記第２の保持部は前記第３領域における前記信号線の厚さ方向に関して前記第３領域の前記付勢手段と同じ側の面を保持する、
ことを特徴とする、請求項１に記載の画像読取装置。
【請求項３】
前記フレーム体は、本体フレームと、前記読取ユニットを支持する開閉フレームと、前記シート搬送路を通過するシートのシート搬送方向に直交する幅方向における側部に配置され、前記開閉フレームを前記本体フレームに対して開閉可能に支持するヒンジ部と、を有し、
前記信号線の前記第１領域及び前記第３領域は、前記付勢方向から視て前記シート搬送方向に沿った方向に延び、
前記第２の保持部が、前記信号線が前記第３領域から前記幅方向において前記ヒンジ部へ向かって折り曲げられた状態の折曲部を保持している、
ことを特徴とする、請求項２に記載の画像読取装置。
【請求項４】
前記読取ユニットが前記シート搬送路の上方に配置され、
前記付勢手段が前記読取ユニットを前記付勢方向である下方向へ向けて付勢し、
前記信号線の前記第１領域及び前記第３領域が水平方向に延び、前記第２領域が上下方向に沿って延び、
前記第２の保持部が前記第３領域における前記信号線の下面を保持する、
ことを特徴とする、請求項２又は３に記載の画像読取装置。
【請求項５】
前記フレーム体に固定され、上方から視て前記読取ユニットと前記信号線の接続部を覆うカバー部材を備え、
前記第２の保持部が前記カバー部材の上面に配置される、
ことを特徴とする、請求項４に記載の画像読取装置。
【請求項６】
前記信号線がフレキシブルフラットケーブルである、
ことを特徴とする、請求項１乃至５のいずれか１項に記載の画像読取装置。
【請求項７】
請求項１乃至６のいずれか１項に記載の画像読取装置と、
前記画像読取装置によって読取った画像情報に基づいて、記録媒体に画像を形成可能な画像形成手段と、を備えたことを特徴とする画像形成装置。
【発明の詳細な説明】
【技術分野】
【０００１】
本発明は、画像読取装置及びこれを備えた画像形成装置に関する。
【背景技術】
【０００２】
近年、画像読取装置において読取センサによって読取られた画像データを伝達するための信号線として、フレキシブルフラットケーブル（以下、ＦＦＣとする）が用いられる場合が増加している。しかしながら、ＦＦＣが圧迫されたり、過度の捩れや屈曲が生じたりすると、ＦＦＣによって伝達される画像データに乱れが生じることがある。
【０００３】
特許文献１には、本体部に対して開閉可能な自動原稿搬送装置を備え、自動原稿搬送装置に配置されたイメージセンサと本体部に配置された制御基板とをＦＦＣによって接続した複合機が記載されている。この複合機では、ＦＦＣが自動原稿搬送装置の回動軸の付近でＵ字状に撓んだ状態で配線されており、自動原稿搬送装置の回動による配線経路長の変化が撓みの大きさの変化によって吸収される。
【先行技術文献】
【特許文献】
【０００４】
【特許文献１】特開２０１１−２０５３４１号公報
【発明の概要】
【発明が解決しようとする課題】
【０００５】
ところで、画像読取装置の構成として、読取センサを備えた読取ユニットを原稿となるシートの厚さ方向に移動可能とし、バネ等によってシートに押付けることが考えられる。しかしながら、このような構成において、読取ユニットに接続される信号線を上記文献のＦＦＣのように撓ませた状態で配線した場合、信号線から読取ユニットに対して移動を妨げるような力が作用することがあった。読取ユニットの移動が妨げられた場合、例えば、読取センサと原稿の距離が変動して読取られた画像の画質が低下する可能性がある。
【０００６】
そこで、本発明は、読取ユニットが円滑に移動可能な画像読取装置、及びこれを備えた画像形成装置を提供することを目的とする。
【課題を解決するための手段】
【０００７】
本発明に係る画像読取装置は、フレーム体と、前記フレーム体に支持される対向部材と、前記対向部材との間にシート搬送路を形成する透過部と、前記シート搬送路を通過するシートから前記透過部を通して画像を読み取るセンサ部とを有し、前記フレーム体により、前記対向部材に対して接近及び離間可能に支持された読取ユニットと、前記読取ユニットを前記対向部材へ向けて付勢する付勢手段と、前記読取ユニットに接続される第１領域と、前記第１領域に隣接する第２領域とを含み、前記センサ部が発した電気信号を伝達可能な平板状の信号線と、前記フレーム体に支持され、前記信号線を保持可能な保持手段と、を備え、前記信号線は、前記第１領域における幅方向が前記付勢手段の付勢方向に交差する第１の方向に沿った姿勢で前記読取ユニットに接続され、前記保持手段は、前記第１の方向から視て、前記信号線の前記第１領域が前記読取ユニットから前記付勢方向に交差する第２の方向へ向かって延び、かつ、前記第２領域が前記第１領域に対して折り曲げられた状態で前記第２領域を保持する保持部を有する、ことを特徴とする。
【発明の効果】
【０００８】
本発明による画像読取装置の構成によれば、読取ユニットが円滑に移動可能となる。
【図面の簡単な説明】
【０００９】
【図１】本開示に係る画像読取部及びプリンタの構成を示す概略図（ａ）、並びに画像形成エンジンの構成を示す概略図（ｂ）。
【図２】画像読取部の斜視図。
【図３】画像読取部の要部を示す拡大図。
【図４】画像読取部の配線構造を示す斜視図（ａ）と模式図（ｂ）。
【発明を実施するための形態】
【００１０】
以下、本開示に係る画像読取装置及び画像形成装置について、図面を参照しながら説明する。
【００１１】
［全体構成］
まず、画像形成装置の一例であるプリンタ１００の概略について説明する。プリンタ１００は、電子写真方式のレーザビームプリンタである。プリンタ１００は、図１（ａ）に示すように、プリンタ本体７０と、プリンタ本体７０の上部に装着される画像読取部１０と、を備えている。なお、以下において、シートとは、普通紙の他にも、コート紙等の特殊紙、封筒やインデックス紙等の特殊形状からなる記録材、及びオーバーヘッドプロジェクタ用のプラスチックフィルムや布などを含むものとする。
【００１２】
プリンタ本体７０は、筐体７０Ａの内部に画像形成エンジン６０を有している。画像形成エンジン６０は、図１（ｂ）に示すように、電子写真方式の画像形成ユニットＰＵと、定着装置７と、を備えている。画像形成動作の開始が指令されると、感光体である感光ドラム１が回転し、ドラム表面が帯電装置２によって一様に帯電される。すると、露光装置３が、画像読取部１０又は外部のコンピュータから送信された画像データに基づいてレーザ光を変調して出力し、感光ドラム１の表面を走査して静電潜像を形成する。この静電潜像は、現像装置４から供給されるトナーによって可視化（現像）されてトナー像となる。
【００１３】
このような画像形成動作に並行して、不図示のカセット又は手差しトレイに積載されたシートを画像形成エンジン６０へ向けて給送する給送動作が実行される。給送されたシートは、画像形成ユニットＰＵによる画像形成動作の進行に合わせて搬送される。そして、感光ドラム１に担持されたトナー像は、転写ローラ５によってシートに転写される。トナー像転写後に感光ドラム１上に残ったトナーは、クリーニング装置６によって回収される。未定着のトナー像が転写されたシートは、定着装置７へと受け渡されて、ローラ対に挟持されて加熱及び加圧される。トナーが溶融しシートに固着して画像が定着したシートは、排出ローラ対によって筐体７０Ａの外部に排出される。なお、両面印刷の場合には、反転搬送部８によってシートは反転した状態で搬送され、画像形成エンジン６０によって裏面に画像を形成された後に筐体７０Ａの外部に排出される。
【００１４】
また、プリンタ本体７０には制御部８０が搭載されている。制御部８０は、プリンタ１００を統括制御する中央処理装置（ＣＰＵ）と、ＣＰＵが実行するプログラムや画像情報及び設定情報を記憶するメモリを含む。制御部８０は、画像形成エンジン６０を制御して、記録媒体であるシートに画像を形成させる画像形成動作を実行可能である。
【００１５】
なお、画像形成エンジン６０は、記録媒体としてのシートに画像を形成可能な画像形成手段の一例であり、上述の直接転写方式に代えて中間転写体を含む中間転写方式の構成を用いてもよく、インクジェット方式等の他の機構を用いてもよい。
【００１６】
［画像読取部］
次に、画像読取装置の一例である画像読取部１０について説明する。画像読取部１０は、図２に示すように、原稿トレイ１４に載置された原稿を自動的に給送するＡＤＦ１１と、原稿台ガラスを備えたスキャナ部１２と、を備えている。シート給送装置の一例であるＡＤＦ１１（Ａｕｔｏ  Ｄｏｃｕｍｅｎｔ  Ｆｅｅｄｅｒ）は、原稿台ガラスが開放可能となるように、スキャナ部１２に対して開閉可能である。即ち、画像読取部１０のフレーム体は、スキャナ部１２を構成する本体フレームと、ＡＤＦ１１を構成し、本体フレームに対して開閉可能な開閉フレームとによって構成される。なお、原稿として用いられるシートは、白紙でも、片面又は両面に画像が形成されていてもよい。
【００１７】
図１（ａ）に示すように、ＡＤＦ１１は、原稿Ｄ１が載置される原稿トレイ１４と、原稿トレイ１４から給送された原稿Ｄ１を搬送する原稿搬送部１５と、原稿Ｄ１が排出される排出トレイ２９と、を備えている。原稿搬送部１５は、略Ｕ字状に湾曲した原稿搬送路（Ｕターンパス）２２を有する。原稿搬送部１５には、この原稿搬送路２２に沿ってピックアップローラ１７、分離ローラ１８、分離パッド１９、原稿ストッパ２０、原稿有無センサ２１、搬送ローラ対２３、排出ローラ対２４、及び原稿エッジセンサ２５が配置されている。
【００１８】
ＡＤＦ１１及びスキャナ部１２には、それぞれ原稿Ｄ１から画像情報を読取り可能な読取センサ１６，２６が配置されている。読取センサ１６，２６としては、密着型イメージセンサが用いられている。即ち、読取センサ１６，２６は、光源としてのＬＥＤアレイから原稿Ｄ１の画像情報面に光を照射し、画像情報面で反射した反射光をレンズでセンサ素子に結像して画像情報を読取るものである。
【００１９】
以下、画像読取部１０がＡＤＦ１１によって原稿Ｄ１を給送しながら原稿Ｄ１から画像情報を読取る動作（流し読み動作）について説明する。まず、操作者が原稿Ｄ１を原稿トレイ１４に載置する。このとき、原稿Ｄ１の先端位置が原稿ストッパ２０によって規制されると共に、原稿有無センサ２１によって原稿Ｄ１が検知され、制御部８０が原稿の存在を認識する。
【００２０】
そして、操作者が不図示の操作部を介して読取開始を指示すると、不図示の駆動部から供給される駆動力によって原稿ストッパ２０が押し下げられ、ピックアップローラ１７によって原稿Ｄ１が分離ローラ１８と分離パッド１９の間の分離部まで搬送される。すると、分離パッド１９によって原稿Ｄ１が他の原稿から分離され、最上位の原稿Ｄ１が分離ローラ１８によって搬送される。分離された原稿Ｄ１は、搬送ローラ対２３によって原稿搬送路２２に沿って搬送され、読取センサ１６，２６による読取位置へ向けて搬送される。
【００２１】
その後、原稿エッジセンサ２５により原稿Ｄ１の先端部が検知されると、原稿Ｄ１の先端部が原稿エッジセンサ２５の検知位置から所定量搬送されるタイミングで読取センサ１６，２６による画像情報の読取りが開始される。スキャナ部１２に配置された読取センサ１６は原稿Ｄ１の第１面（表面）から画像情報を読取り、ＡＤＦ１１に配置された読取センサ２６は原稿Ｄ１の第１面とは反対の第２面（裏面）から画像情報を読取る。読取センサ１６，２６の読取位置を通過した原稿Ｄ１は、排出ローラ対２４に向かって搬送される。そして、原稿エッジセンサ２５により原稿Ｄ１の後端部が検知されると、原稿Ｄ１の後端部が原稿エッジセンサ２５の検知位置から所定量搬送されるタイミングで読取センサ１６、２６による画像情報の読取りが終了する。そして、原稿Ｄ１は、排出ローラ対２４によって排出トレイ２９へ排出される。このような読取動作は、原稿トレイ１４に載置された原稿が存在しないことが原稿有無センサ２１によって検知されるまで繰り返される。
【００２２】
なお、画像読取部１０は、スキャナ部１２の原稿台ガラスに載置された原稿から画像情報を読取る動作（固定読み動作）を実行可能である。この場合、原稿台ガラスに原稿が静置された状態で、読取センサ１６が原稿台ガラスに沿って副走査方向（図中左右方向）に移動することで、原稿から画像情報が読取られる。
【００２３】
［読取ユニットの詳細構成］
次に、読取センサ２６の保持構成及びその配線構造について、図３及び図４を用いて説明する。図３は、図１（ａ）にＸで示す領域の拡大図である。図４（ａ）は読取センサ２６に接続される配線構造の一部を示す斜視図であり、図４（ｂ）は配線構造の模式図である。
【００２４】
図３に示すように、読取センサ２６は、導光体２６１、レンズアレイ２６２、及び撮像素子２６３を備えている。読取センサ２６は、光源からの光を導光体２６１によって原稿搬送路２２へ向けて照射し、原稿Ｄ１からの反射光をレンズアレイ２６２によって撮像素子２６３に結像して光電変換することでアナログの画像情報を取得する。
【００２５】
以下、原稿搬送方向におけるレンズアレイ２６２の光軸位置を読取センサ２６の読取位置とする。読取位置における原稿搬送方向（図中右方向）は、原稿となるシートのシート搬送方向に相当し、原稿搬送路２２はシート搬送路に相当する。また、原稿搬送方向に直交する方向（図中奥行方向）を原稿の幅方向とし、原稿搬送方向及び原稿の幅方向に直交する方向（図中上下方向）を原稿の厚さ方向とする。
【００２６】
読取センサ２６は、ホルダ２７に収容された状態で、原稿搬送路２２に対して第１の読取センサ１６とは反対側に配置されている（図１参照）。ホルダ２７は、透過部としてのコンタクトガラス２８を支持しており、コンタクトガラス２８は対向部材であるコンタクトガラス３９との間に原稿搬送路２２を形成している。読取センサ２６は、流し読み動作の際に、コンタクトガラス２８を通して原稿Ｄ１の第２面から画像情報を読取る。
【００２７】
ホルダ２７は、ＡＤＦ１１の枠体を構成するフレーム１１０により、読取位置における原稿の厚さ方向に移動可能に支持され、読取センサ２６は、コンタクトガラス３９に対して接近及び離間可能である。ホルダ２７とフレーム１１０との間には、ホルダ２７をコンタクトガラス３９へ向けて付勢する付勢手段として、バネ等の押圧部材３２が配置されている。即ち、本実施例において、センサ部としての読取センサ２６と、透過部としてのコンタクトガラス２８は、フレーム１１０に対して移動可能に支持された読取ユニット２６Ｕを構成している。
【００２８】
読取ユニット２６Ｕには、フレキシブルフラットケーブル（以下、ＦＦＣとする）３０が接続されるコネクタ２６５が配置されている。ＦＦＣ３０は、複数の導体が樹脂層によって挟まれた構造を有し、読取ユニット２６Ｕが発する電気信号をプリンタ本体７０の制御部８０（図１（ａ）参照）へ向けて伝達可能である。即ち、ＦＦＣ３０は、読取センサ２６によって取得されるアナログ画像信号をプリンタ本体７０の制御部８０へ伝達する。なお、ＦＦＣ３０は、制御部８０から出力される電力を読取センサ２６に供給するための伝送路を含んでいる。また、上記第１の読取センサ１６は、他のＦＦＣによって制御部８０に接続されており、読取センサ１６によって取得されるアナログ画像信号も制御部８０に伝達される。
【００２９】
制御部８０は、アナログ画像信号をアナログ／デジタル変換するＡ／Ｄ変換器を備え、デジタル画像信号に変換した画像情報に対して、種々の画像処理（２値化、階調処理、変倍、編集等）を施すことで最終的な読取画像データを取得する。この読取画像データは、例えば画像形成エンジン６０による画像形成（複写）に用いられ、或いは電気通信回線を通じて外部のコンピュータに伝送される。
【００３０】
ここで、ＦＦＣ３０は移動可能な読取ユニット２６Ｕに接続されているため、ＦＦＣ３０から読取ユニット２６Ｕが受ける力について考慮する必要がある。即ち、ＦＦＣ３０が配線経路に沿って屈曲又は湾曲させられて変形した状態では、ＦＦＣ３０が元の形状に戻ろうとする復元力が発生する。ＦＦＣ３０の復元力が読取ユニット２６Ｕを引っ張る力として作用したり、読取ユニット２６Ｕを押圧する力として作用した場合、読取ユニット２６Ｕには押圧部材３２からの付勢力及び原稿Ｄ１からの反力以外の外力が作用することになる。このような力によって読取ユニット２６Ｕの姿勢が乱れた場合、読取センサ２６と原稿Ｄ１との距離が変動し、読取センサ２６によって読取られる画像の画質が低下する可能性がある。なお、ＦＦＣ３０は平板状の信号線の一例であり、例えば被覆線を並べて融着したフラットケーブルや、フレキシブルプリント基板を信号線として用いる場合にも同様の課題が生じ得る。
【００３１】
そこで、画像読取部１０は、ＦＦＣ３０を保持してその配線経路を規制するための保持手段として、ガイド部材３１を備えている。図３に示すように、ＦＦＣ３０は、一方の端部を読取ユニット２６Ｕのコネクタ２６５に接続された状態でガイド部材３１に沿って配線される。ガイド部材３１は、フレーム１１０に載置された状態でビス止め等の方法で固定されている。
【００３２】
図３に示すように、読取ユニット２６Ｕのコネクタ２６５は、押圧部材３２による押圧方向に垂直な方向、即ち原稿搬送方向の下流側からＦＦＣ３０を挿抜可能な形状を有する。ＦＦＣ３０は、コネクタ２６５に接続された第１領域３０１と、第１領域３０１に隣接し上下方向に延びる第２領域３０２と、第２領域３０２に隣接し原稿搬送方向に沿って延びる第３領域３０３とを有する。ＦＦＣ３０は、第１領域３０１と第２領域３０２との間（ａ１）で略垂直に折り曲げ、さらに第２領域３０２と第３領域３０３との間（ａ２）で略垂直に折り曲げて曲げ癖をつけた状態で、ガイド部材３１に保持されている。即ち、ＦＦＣ３０は、原稿Ｄ１の幅方向から視た場合に、原稿搬送方向の上流へ向かって開いたコ字状の配線経路に沿って配線されている。
【００３３】
また、図４（ａ）に示すように、ＦＦＣ３０は第３領域３０３から折り返された状態で、画像読取部１０の後方（図中右方）へ向かって延びている。図４（ｂ）に示すように、ＡＤＦ１１は、画像読取部１０の後部に設けられたヒンジ部３５によって回動可能に支持されており、回動動作によってスキャナ部１２に対して開閉可能である。ＦＦＣ３０は、ガイド部材３１から後方へ延び、さらにヒンジ部を経由して下方へと延びて、スキャナ部１２に配置された中継基板３７に接続されている。
【００３４】
図３及び図４（ａ）に示すように、ガイド部材３１は、ＦＦＣ３０の第２領域３０２の位置を規制する第１規制部３１１と、第３領域３０３の位置を規制する第２規制部３１２とを備えている。第１規制部３１１は、原稿Ｄ１の幅方向から視て、原稿搬送方向に関して押圧部材３２とは反対側からＦＦＣ３０の第２領域３０２を保持する。第２規制部３１２は、原稿Ｄ１の幅方向から視た場合に、上下方向に関して押圧部材３２と同じ側から、ＦＦＣ３０の第３領域３０３の下面を保持する。
【００３５】
即ち、平板状の信号線であるＦＦＣ３０は、第１領域３０１における幅方向が押圧部材３２の付勢方向に交差する第１の方向（原稿Ｄ１の幅方向）に沿った姿勢でコネクタ２６５に接続されている。ＦＦＣ３０は、第１の方向から視て、付勢方向に交差する第２の方向（原稿搬送方向）に向かって延びている。また、ＦＦＣ３０の第２領域３０２は、ＦＦＣ３０が第１領域３０１と第２領域３０２との間で折り曲げられた状態で、第１の保持部としての第１規制部３１１に保持されている。
【００３６】
この構成により、ＦＦＣ３０の第１領域３０１は、第１領域３０１と第２領域３０２の間の折曲部ａ１の付近を中心にして、読取ユニット２６Ｕの移動に容易に追従して上下方向に揺動する。また、第１規制部３１１によって第２領域３０２のコネクタ２６５に対する相対位置が保持されるため、ＦＦＣ３０の第１領域３０１が設計上の配線経路から大きく外れないように規制される。このため、ＦＦＣ３０の復元力によって読取ユニット２６Ｕが押圧部材３２の付勢方向とは異なる方向へ押圧されたり、ＦＦＣ３０に張力が発生して読取ユニット２６Ｕが引っ張られたりすることが低減される。
【００３７】
即ち、本実施形態の構成によれば、押圧部材３２の付勢方向に関する読取ユニット２６Ｕの可動範囲を確保すると共に、ＦＦＣ３０から読取ユニット２６Ｕへ付勢方向とは異なる方向の力が作用することを低減可能である。そして、読取ユニット２６Ｕがコンタクトガラス３９に対して略平行な姿勢を維持した状態で原稿の厚さ等に応じて移動することにより、読取センサ２６によって読取られる画像の画質を安定させることができる。
【００３８】
また、第２の保持部としての第２規制部３１２は、ＦＦＣ３０の第３領域３０３を、押圧部材３２の付勢方向から視て第１領域３０１と重なる位置に保持するため、読取センサ２６の配線構造をコンパクトに構成することができる。特に、第２規制部３１２は、ＦＦＣ３０の押圧部材３２に対して第１規制部３１１とは反対側の面を保持するため、ＦＦＣ３０を第１及び第２規制部３１１，３１２によって安定した状態で保持可能である。なお、第３領域３０３を保持する第２規制部３１２はガイド部材３１の上面に配置されており、ガイド部材３１は上方から視てＦＦＣ３０と読取ユニット２６Ｕの接続部であるコネクタ２６５を覆うカバー部材を兼ねている。
【００３９】
また、読取ユニット２６Ｕのコネクタ２６５が原稿搬送方向に向かって開口する一方で、ＡＤＦ１１とスキャナ部１２を接続するヒンジ部３５は画像読取部１０の後方、即ち原稿の幅方向における側部に配置されている。従って、読取ユニット２６Ｕの移動方向及びヒンジ部３５の回動方向を考慮した場合に、ＦＦＣ３０の配線経路は、ＦＦＣ３０を厚さ方向に折り曲げることで配線可能な方向とは異なる方向への方向転換が必要となる。本実施形態では、ガイド部材３１の上方においてＦＦＣ３０が後方へ向かって折り曲げられており、第２規制部３１２が折曲部ａ３を支持している（図４（ａ）参照）。このため、ＦＦＣ３０の配線経路を可能な限り短くしつつ、読取ユニット２６Ｕ及びヒンジ部３５が円滑に移動可能な配線構造を実現することができる。
【００４０】
なお、上記実施形態では、ＦＦＣ３０が読取ユニット２６Ｕから押圧部材３２の付勢方向に垂直な方向に延びるものとして説明したが、障害物を迂回する場合等には付勢方向に交差する他の方向に向かって配線する構成としてもよい。また、本技術は、読取ユニット２６Ｕが原稿搬送路の上方に配置される構成に限らず、原稿搬送路の下方に配置される構成に適用してもよく、原稿搬送路が水平方向に対して傾斜している構成に適用してもよい。
【００４１】
また、本実施形態に係る画像読取部１０は画像読取装置の一例であり、上記プリンタ本体７０等の画像形成手段を備えた装置とは独立に用いられる画像読取装置に本技術を適用してもよい。
【符号の説明】
【００４２】
１０…画像読取装置（画像読取部）／２６…センサ部（読取センサ）／２６Ｕ…読取ユニット／２８…透過部（コンタクトガラス）／３０…信号線（ＦＦＣ）／３０１…第１領域／３０２…第２領域／３０３…第３領域／３１…保持手段（ガイド部材）／３１１…第１の保持部（第１規制部）／３１２…第２の保持部（第２規制部）／３２…付勢手段（押圧部材）／３５…ヒンジ部／３９…対向部材（コンタクトガラス）／６０…画像形成手段（画像形成エンジン）／１００…画像形成装置（プリンタ）／１１０…フレーム体、開閉フレーム（フレーム）
【図１】
2018129608.tif 000003
【図２】
2018129608.tif 000004
【図３】
2018129608.tif 000005
【図４】
2018129608.tif 000006